(57)【要約】【課題】より高い精度で転落事象を検知する駅ホーム転落検知装置を提供する。【解決手段】一実施形態に係る駅ホーム転落検知装置は、ステレオ画像から対象物の基準平面上の位置と前記基準平面からの高さを推定する推定手段と、前記基準平面を前記駅ホームに該当する第１の領域と、前記線路軌道に該当する第２の領域とに分割し、前記対象物が第１の領域に存在すると判別された場合に前記推定された高さが第１の下限閾値以上第１の上限閾値未満であるか否か判別し、前記対象物が第２の領域に存在すると判別された場合に前記推定された高さが第２の下限閾値以上第２の上限閾値未満であるか否か判別する高さ判別手段と、前記推定された高さが下限閾値以上であり上限閾値未満であると判別された場合、転落事象を検知する検知手段と、を具備する。【選択図】      図２
2014234085.tif 000002
【特許請求の範囲】
【請求項１】
駅ホーム及び線路軌道を含む基準平面上からステレオ画像を取得する画像取得手段と、
前記ステレオ画像から対象物の基準平面上の位置と前記基準平面からの高さを推定する推定手段と、
前記基準平面を前記駅ホームに該当する第１の領域と、前記線路軌道に該当する第２の領域とに分割し、前記対象物が前記第１の領域と前記第２の領域とのどちらに存在するか判別する領域判別手段と、
前記第１の領域に設定された第１の下限閾値及び上限閾値と、前記第２の領域に設定された第２の下限閾値及び上限閾値と、を記憶する記憶手段と、
前記対象物が前記第１の領域に存在すると判別された場合に前記推定された高さが前記第１の下限閾値以上前記第１の上限閾値未満であるか否か判別し、前記対象物が前記第２の領域に存在すると判別された場合に前記推定された高さが前記第２の下限閾値以上前記第２の上限閾値未満であるか否か判別する高さ判別手段と、
前記推定された高さが下限閾値以上であり上限閾値未満であると判別された場合、転落事象を検知する検知手段と、
を具備する駅ホーム転落検知装置。
【請求項２】
前記記憶手段は、前記線路軌道上のレールの上面の高さを前記第２の下限閾値として設定し、前記駅ホームの上面の高さを前記第２の上限閾値として設定する、請求項１に記載の駅ホーム転落検知装置。
【請求項３】
前記領域判別手段は、前記第２の領域から前記レールが存在する第３の領域と、砂利が盛られている第４の領域とを抽出し、
前記記憶手段は、前記線路軌道上のレールの上面の高さを前記第３の下限閾値として設定し、前記第２の上限閾値に前記レールの高さを加算した値を第３の上限閾値として設定し、前記線路軌道上のレールの上面の高さに砂利の高さを加算した値を前記第４の下限閾値として設定し、前記第２の上限閾値に前記砂利の高さを加算した値を第４の上限閾値として設定し、
前記高さ判別手段は、前記対象物が前記第３の領域に存在すると判別された場合に前記推定された高さが前記第３の下限閾値以上前記第３の上限閾値未満であるか否か判別し、前記対象物が前記第４の領域に存在すると判別された場合に前記推定された高さが前記第４の下限閾値以上前記第４の上限閾値未満であるか否か判別する、
請求項２に記載の駅ホーム転落検知装置。
【請求項４】
前記記憶手段は、前記駅ホームの上面の高さを前記第１の下限閾値として設定する、請求項１乃至３のいずれか１項に記載の駅ホーム転落検知装置。
【発明の詳細な説明】
【技術分野】
【０００１】
本発明の実施形態は、駅ホーム転落検知装置に関する。
【背景技術】
【０００２】
従来、駅のホームで発生する転落事象を検知する転落検知装置が提案されている。
【先行技術文献】
【特許文献】
【０００３】
【特許文献１】特開２００４−５８７３７号公報
【発明の概要】
【発明が解決しようとする課題】
【０００４】
転落検知装置は、転落事象を確実に検知する必要がある。しかし、駅ホーム上の乗降客の線路軌道上への乗り出し、小物の落下、及び小動物などの外乱要因の為に、誤報が発生する可能性がある。この為、誤報を発生させず、且つ確実に転落事象を検知する転落検知装置が要望されている。
【０００５】
そこで、より高い精度で転落事象を検知する駅ホーム転落検知装置を提供することを目的とする。
【課題を解決するための手段】
【０００６】
一実施形態に係る駅ホーム転落検知装置は、駅ホーム及び線路軌道を含む基準平面上からステレオ画像を取得する画像取得手段と、前記ステレオ画像から対象物の基準平面上の位置と前記基準平面からの高さを推定する推定手段と、前記基準平面を前記駅ホームに該当する第１の領域と、前記線路軌道に該当する第２の領域とに分割し、前記対象物が前記第１の領域と前記第２の領域とのどちらに存在するか判別する領域判別手段と、前記第１の領域に設定された第１の下限閾値及び上限閾値と、前記第２の領域に設定された第２の下限閾値及び上限閾値と、を記憶する記憶手段と、前記対象物が前記第１の領域に存在すると判別された場合に前記推定された高さが前記第１の下限閾値以上前記第１の上限閾値未満であるか否か判別し、前記対象物が前記第２の領域に存在すると判別された場合に前記推定された高さが前記第２の下限閾値以上前記第２の上限閾値未満であるか否か判別する高さ判別手段と、前記推定された高さが下限閾値以上であり上限閾値未満であると判別された場合、転落事象を検知する検知手段と、を具備する。
【図面の簡単な説明】
【０００７】
【図１】図１は、一実施形態に係る駅ホーム転落検知装置の例について説明するための説明図である。
【図２】図２は、一実施形態に係る駅ホーム転落検知装置の例について説明するための説明図である。
【図３】図３は、一実施形態に係る駅ホーム転落検知装置の例について説明するための説明図である。
【図４】図４は、一実施形態に係る駅ホーム転落検知装置の例について説明するための説明図である。
【図５】図５は、一実施形態に係る駅ホーム転落検知装置の例について説明するための説明図である。
【図６】図６は、一実施形態に係る駅ホーム転落検知装置の例について説明するための説明図である。
【図７】図７は、一実施形態に係る駅ホーム転落検知装置の例について説明するための説明図である。
【図８】図８は、一実施形態に係る駅ホーム転落検知装置の例について説明するための説明図である。
【図９】図９は、一実施形態に係る駅ホーム転落検知装置の例について説明するための説明図である。
【図１０】図１０は、一実施形態に係る駅ホーム転落検知装置の例について説明するための説明図である。
【発明を実施するための形態】
【０００８】
以下、図面を参照しながら駅ホーム転落検知装置の例について詳細に説明する。  
図１は、一実施形態に係る駅ホーム転落検知装置（転落検知装置）２が設置される駅ホームの例を示す。
【０００９】
駅ホームは、ホーム、線路軌道、及びステレオカメラ１１及び１２を備える。転落検知装置２は、ホーム及び線路軌道上の所定の範囲（検知範囲）からステレオカメラ１１及び１２が撮像した画像に基づいて、転落事象を検知する。
【００１０】
図２は、転落検知装置２の構成の例を示す。また、図３は、転落検知装置２での座標系の例を示す。図３では、実空間の線路が敷かれている方向と水平に直行する方向の座標はＸ、奥行き方向（線路が敷かれている方向）の座標はＹ、垂直方向の座標はＺで表される。また、画像座標系の水平方向の座標はｕ、垂直方向の座標はｖで表される。
【００１１】
図２に示す転落検知装置２は、例えば、駅のホームの柱に設置された２台のカメラ１１，１２（以降、ステレオカメラと表記）によって撮影された画像を用いて、ホーム上及び線路軌道上の物体の位置及び高さ等を推定する。
【００１２】
図２において、転落検知装置２は、画像入力部２１と、投影画像生成部２２と、対応点計算部２３と、物体平面位置計算部２４と、対象物検出部２５とを備える。これら各部の機能は、例えば記録媒体に記録されたプログラムをコンピュータが実行することによって実現することができる。
【００１３】
画像入力部２１は、監視領域の近くの柱に設置されたステレオカメラで時系列画像を撮影する。ステレオカメラから得られる左右の時系列画像は実質的に光軸が平行になっているものとする。カメラ１１、１２は、電荷結合素子（ＣＣＤ）からなり、カメラ１１、１２から出力される映像がアナログ信号の場合はディジタル画像に変換し、画像入力部２１にてディジタル画像として記憶する。ステレオカメラの画像のうち、任意の１つのカメラ画像を基準画像とし、他方のカメラ画像を参照画像とする。
【００１４】
投影画像生成部２２は、線路軌道及びホームを含む範囲を基準平面とし、一方のカメラで撮影された画像を、監視エリアの基準画像に映る基準平面上のパターンの位置が、他方のカメラで撮影された画像を、監視エリアの参照画像に映る基準平面上のパターンの位置と一致するように画像変換した投影画像を生成する。なお、ホームは、基準平面より所定の高さで設けられている。また、線路机上には、所定の高さのレールが設けられている。
【００１５】
なお、投影画像生成部２２は、あらかじめ基準画像と参照画像間で基準平面上のパターンの対応点を算出し、その対応点の組から画像変換行列を求めておく。２つのカメラの光軸が実質的に平行になっている場合、上記対応点の組み合わせは少なくとも４組の対応点から、カメラ画像間の画像変換行列として射影変換行列Ｈが求まる。画像座標系上の点をそれぞれ、  
【数１】
2014234085.tif 000003
【００１６】
とすれば、同次座標では、  
【数２】
2014234085.tif 000004
【００１７】
と記述でき、これらは次のような関係がある。  
【数３】
2014234085.tif 000005
【００１８】
このとき射影変換行列Ｈは３×３の行列で、次のような行列として記述できる。  
【数４】
2014234085.tif 000006
【００１９】
射影変換行列Ｈは未知パラメータｈ０〜ｈ１の８個であり、一組の対応点は２個の式を与える。したがって、４組以上の対応点があれば、最小２乗法によりこの行列を求めることができる。あらかじめ求めた画像変換行列を用いて、参照画像を変換して基準画像の基準平面の位置が一致する投影画像を生成する。
【００２０】
図４は、図２に示す投影画像生成部２２での画像変換の概略を示す図である。  
図４（ａ）は基準画像、図４（ｂ）は参照画像を表す。また、それぞれの画像には、基準平面上に存在する対象物（検知対象）が写りこんでいる。図４（ｃ）の投影画像は、図４（ｂ）参照画像を上記画像変換行列により画像変換し、基準平面に関して、図４（ａ）の基準画像と図４（ｃ）の投影画像とが一致する。このとき、図４（ａ）の基準画像と図４（ｃ）の投影画像とを比較すると基準平面上にない対象物には視差が発生する。
【００２１】
対応点計算部２３は、基準画像の任意の点の座標と投影画像で対応する点の座標を算出する。本実施形態では、上記図４（ａ）の基準画像と図４（ｃ）の投影画像とを比較し、基準平面上にない物体に生じる視差の量を計算するため、対応点探索を実施する。２つのカメラの光軸が実質的に平行となっているため、調整された画像の場合、基準画像上の任意の点は、エピポーラ拘束条件により、参照画像上の同じｖ座標上に位置する特性がある。このため、対応点の探索は、１次元探索となる。このとき、対応関係を見つけるには、例えば、注目画素近傍の画像特徴を用いた領域ベースマッチングによる方法を適用することができる。
【００２２】
なお、領域ベースマッチングとは、比較元の画像領域と比較先の画像領域との一致度を算出する方法である。ここで、最も簡便なＳＡＤ(Sum of Absolute Difference)を用いる方法を簡潔に説明する。
【００２３】
比較する２つの画像領域が同形としてＲで表し、Ｒ中の位置を（ｕ，ｖ）、この位置での比較元の画素輝度をＩ（ｕ，ｖ）、比較先の画素輝度をＩ’（ｕ，ｖ）とした場合、  
【数５】
2014234085.tif 000007
【００２４】
が求まる。この値が小さいほど２つの画像領域は一致しているといえる。
【００２５】
領域ベースマッチングは、上記のように任意の点を中心とした局所領域と、参照画像の局所領域を相違度あるいは類似度の尺度を用いてマッチングを行う。相違度としてＳＡＤ（Sum of Absolute Differences）やＳＳＤ（Sum of Squared Differences）、類似度としてＮＣＣ（Normalized Cross Correlation）やＰＯＣ（Phase-Only Correlation）を用いることができる。また、画像からコーナー等の特徴点を検出し、その周囲の局所領域に対して局所記述子（特徴量）を定義し、局所記述子の距離に基づいて画像間のマッチングを行う、特徴ベースマッチングを用いてもよい。
【００２６】
なお、特徴抽出としては、Harris point，ＤｏＧ（Difference of Gaussian）region，Harris Affine region，Hessian Affine region，ＭＳＥＲ（Maximally Stable Extermal Regions）等を用いても構わない。局所記述子としては、ＳＩＦＴ（Scale Invariant Feature Transform）やＧＬＯＨ（Gradient Location-Orientation Histgram）等を用いても構わない。
【００２７】
物体平面位置計算部２４は、基準画像の任意の点について、対応する投影画像の点との座標値の差を求め、差がある場合に基準平面上にない物体として基準平面上における物体の位置を算出する。本実施形態では、２つのカメラの光軸が実質的に平行で、基準平面に対してカメラのヨー角・ロール角が０度に近いこととする。このとき、上記投影画像生成部２２で表記した射影変換行列は、アフィン変換行列となる。さらに、基準画像中の直線と、これに対応する投影画像中の直線のなす角度は、一定値θをとる。
【００２８】
図５は、基準画像中の物体の任意の点pの基準平面上における画像上の位置Ｐの対応関係を示す図である。
【００２９】
この性質を利用し、図５に示すように、基準画像中の物体の任意の点ｐと、これに対応する参照画像中の点ｐ’の視差量ｄと、角度θの関係から、視差量ｄを対辺とする直角三角形をなし、次式のように隣辺ｈの長さが求まる。  
【数６】
2014234085.tif 000008
【００３０】
これにより、基準画像中の物体の任意の点ｐの基準平面上における画像上の位置Ｐが算出できる。即ち、対象物検出部２５は、ステレオ画像から対象物の基準平面上の位置Ｐ（座標）と、対象物の高さｈと、を推定することができる。これにより、対象物検出部２５は、対象物がホーム上の領域に存在する物体であるか、線路軌道上の領域に存在する物体であるかを判別することができる。
【００３１】
図６は、対象物の検出を行うための検出エリアを示す図である。  
本実施形態では、図６に示すように、対象物検出部２５は、物体平面位置計算部２４で求めた基準平面上にない物体の点ｐにおける基準平面上の位置Ｐについて、あらかじめ設定した基準画像中の基準平面上に設定した検出エリアＡの中に含まれるか否かの判定を行なう。これにより、対象物検出部２５は、対象物の検出を行なう。
【００３２】
なお、ある対象物について複数の点について基準平面上の位置が求まる。この為、対象物検出部２５は、複数点における基準平面上での位置分布もしくは、物体に関する画像上での位置分布からクラスタリングを行ない、一つの対象物として検出する。すなわち、対象物検出部２５は、物体平面位置計算部２４で計算した複数点の基準平面上の位置の分布、もしくは基準画像上での位置の分布から少なくとも１つ以上のクラスタとして対象物候補領域を計算する。
【００３３】
以上のような処理をステレオカメラ画像に対して処理を行い、対象物検出部２５は、ホーム上または線路軌道上の物体の位置を検出する。
【００３４】
また、本実施形態では、対象物に関して基準平面上の位置（Ｘ，Ｙ）と基準平面からの高さＺが求まるため、検出エリアを３次元で設定することができる。
【００３５】
図７は、３次元の検出エリアを設定するための概要図である。  
３次元の検出エリアの設定は、例えば図７に示すように、図７（ａ）の３次元検出エリアＡを設定するときは、図７（ｂ）のように基準平面上における検出エリアａを指定し、ａに関する検出限界高さを付することで実現する。図７に示すように、転落検知装置２は、複数のエリアを設定してそれぞれ検出下限高さ、上限高さを変えて設定することができる。すなわち、対象物検出部２５は、実空間上の高さを持つ３次元の検出エリアの設定が画像上の基準平面に基づいて設定する。これにより、駅のホームと線路軌道のように、高さが異なる複数の領域を含む場所においても、転落検知装置２は、１つの基準平面を設定することができる。さらに、転落検知装置２は、各領域毎に複数の検出下限高さ（下限閾値）、上限高さ（上限閾値）を設定することができる。
【００３６】
また、転落検知装置２は、３次元検出エリアを設定することにより、画像上の各画素について基準画像と投影画像との視差のとり得る値域を算出できる。これにより、転落検知装置２は、その値域以外の視差が得られたときは３次元検出エリア外の物体として容易に判定できる。一方で、転落検知装置２は、視差の値域を算出する。さらに、転落検知装置２は、視差の探索範囲を算出した値域内に制限する。これにより、転落検知装置２は、演算コストの低減とマッチング精度向上を図ることが可能となる。
【００３７】
図８は、対象物検出部２５の構成の例を示す  
図８に示す対象物検出部２５は、サイズ変換推定部２５１と、対象物候補属性計算部２５３と、対象物属性判定部２５４と、対象物運動推定部２５６と、総合判定部２５８と、閾値メモリ２５９とを有する。
【００３８】
サイズ変換推定部２５１は、線路の幅が一定で既知であることを利用して、実空間と画像との長さに関する対応関係を求める。サイズ変換推定部２５１において、まず図９に示すように、線路軌道には、レールが存在する。レール幅は常に一定である為、サイズ変換推定部２５１は、基準平面上の任意の点間の画像内の長さと、実空間の長さとの対応関係を推定することができる。例えば、サイズ変換推定部２５１は、１画素当たりの実空間上の長さを推定することができる。この対応関係をあらかじめ計算しておき、参照できるよう、監視エリア情報記憶部２５２に記憶しておく。
【００３９】
対象物候補属性計算部２５３は、基準画像における基準平面上の各位置において、実空間と画像との長さに関する対応関係をあらかじめ記憶しており、計算された対象物候補における基準平面上の位置から実空間上における対象物候補のサイズに関する特徴量を少なくとも１つ以上計算する。本実施形態の対象物候補属性計算部２５３は、ステレオカメラの基準平面に対するピッチ角（俯角）が十分小さいときを考える。
【００４０】
例えば、基準平面上の位置Ｐの画素当りの実空間上の長さがｎ［ｍ／画素］であり、対象物の幅がｗ［画素］、高さがｈ［画素］である場合、対象物候補属性計算部２５３は、対象物の実空間上での幅ｗ×ｎ［ｍ］、及び高さｈ×ｎ［ｍ］を算出することができる。また、対象物候補属性計算部２５３は、検出した対象物の重心位置の基準平面からの高さ等を算出することもできる。
【００４１】
対象物属性判定部２５４は、対象物の重心位置の基準平面からの高さ等の対象物の属性情報を用いて、例えば検出物体の幅と高さの大きさから、対象物が人物であるか、鞄などの小物であるか、小動物であるかなどの属性を判別することができる。対象物属性判定部２５４は、対象物の高さ、及び幅などと、判別情報記憶部２５５に記憶されている基準値とに基づいて、これらの属性を判定することができる。
【００４２】
対象物運動推定部２５６は、検出した対象物を時系列で追跡する。例えば、対象物運動推定部２５６は、撮影時間の異なる基準画像間において、対象物候補に関する特徴量の相違度もしくは類似度による判定で対応付けを行ない、対象物候補の運動情報を推定する。
【００４３】
まず、対象物運動推定部２５６は、画像入力部２１等から新規対象物として検出された対象物の実空間座標系での位置および画像上での位置を登録する。また、画像上の対象物領域のテクスチャ情報をテンプレートとして登録する。即ち、対象物運動推定部２５６は、対象物の実空間座標系での位置および画像上での位置、並びに画像上の対象物領域のテクスチャ情報をテンプレート登録部２５７に記憶する。対象物運動推定部２５６は、テンプレート登録部２５７に記憶したテンプレートを用いてテンプレートマッチングを行い、対象物の次の時刻での位置を推定する。
【００４４】
例えば、対象物運動推定部２５６は、次の時刻で検出された対象物の位置と、前回対象物が検出された位置との距離差を計算する。この距離差が閾値より小さい場合、対象物運動推定部２５６は、二つの対象物が同一の対象物であると判定する。
【００４５】
対象物運動推定部２５６は、追跡結果による対象物位置と、検出結果による対象物の位置の平均値を計算し、平均された位置を対象物の位置としてテンプレート登録部２５７の対象物の位置の情報を更新する。さらに、対象物運動推定部２５６は、平均された位置による対象物の画像に基づいて、テンプレート登録部２５７のテクスチャ情報を更新する。
【００４６】
なお、対象物運動推定部２５６は、平均値を計算する場合に重みを付けをする構成であってもよい。また、対象物運動推定部２５６は、等加速度運動モデルを適用したカルマンフィルタを用いて、対象物の位置及び速度を推定する構成であってもよい。なお、対象物運動推定部２５６は、位置や速度を推定する為の他のフィルタを用いて対象物の位置及び速度を推定する構成であってもよい。
【００４７】
総合判定部２５８は、上記の処理により算出された対象物の高さｈ、位置Ｐ、及び予め設定された閾値に基づいて、駅ホームから線路軌道への落下事象の有無を判定する。
【００４８】
上記したように、転落検知装置２は、３次元空間上に落下事象の検知エリアを設定することができる。閾値メモリ２５９は、基準平面上で分割された複数の領域毎に閾値（上限及び下限を含む）を設定することができる。
【００４９】
例えば、図７（ｂ）に示されたように、基準平面が領域ａと領域ｂとに分割されている場合、閾値メモリ２５９には、領域ａ用の上限閾値及び下限閾値と、領域ｂ用の上限閾値及び下限閾値とが予め記憶されている。総合判定部２５８は、対象物が領域ａ内に存在するか、領域ｂ内に存在するかを判定する。
【００５０】
対象物が領域ａ内に存在する場合、総合判定部２５８は、領域ａ用の上限閾値及び下限閾値と、対象物の高さｈとに基づいて、転落事象を検知する。即ち、総合判定部２５８は、対象物の高さｈが、領域ａ用の下限閾値以上であり、且つ、領域ａ用の上限閾値未満であるか否か判定する。総合判定部２５８は、対象物の高さｈが、領域ａ用の下限閾値以上であり、且つ、領域ａ用の上限閾値未満であると判定した場合、転落事象を検知する。
【００５１】
また、対象物が領域ｂ内に存在する場合、総合判定部２５８は、領域ｂ用の上限閾値及び下限閾値と、対象物の高さｈとに基づいて、転落事象を検知する。即ち、総合判定部２５８は、対象物の高さｈが、領域ｂ用の下限閾値以上であり、且つ、領域ｂ用の上限閾値未満であるか否か判定する。総合判定部２５８は、対象物の高さｈが、領域ｂ用の下限閾値以上であり、且つ、領域ｂ用の上限閾値未満であると判定した場合、転落事象を検知する。
【００５２】
図１０は、閾値の設定の例を示す。  
図１０に示されたように、検知範囲内に第１乃至第４のエリアが存在する例について説明する。この例では、線路軌道上のレールの上面の高さに基準平面が設けられている。
【００５３】
第１のエリアは、駅のホームに該当するエリアである。第２のエリアは、線路軌道上であり、且つ線路のレール及び砂利が存在しないエリアである。第３のエリアは、線路軌道上であり、且つ線路のレールが存在するエリアである。第４のエリアは、線路軌道上であり、且つ盛られた砂利が存在するエリアである。即ち、転落検知装置２は、線路軌道上の領域を、駅ホームの端から遠ざかる方向、即ち図３のＹ方向に複数の領域に分割する。
【００５４】
例えば、図１０に示されたように、駅のホーム上に閾値を設けないように設定することにより、駅ホーム上の乗降客の乗り出しによる落下事象の検知を防ぐことができる。これにより、転落検知装置２は、落下事象検知の誤報を低減することができる。
【００５５】
また、第２のエリアでは、レール及び砂利が存在しない為、第２のエリアに人物が存在する場合に落下事象が検知されるような閾値（第２の閾値）が設定されていればよい。例えば、転落検知装置２は、人物の平均的な身長に基づいて、人物が検出される可能性が高い下限閾値及び上限閾値を第２の閾値として設定する。
【００５６】
図１０の例では、下限閾値が基準平面の高さ、即ちレール上面の高さに設定され、且つ上限閾値がホーム上面の高さに設定されている。通常、小物などの落下物は、基準平面より低い位置に落下する。このように設定されていた場合、転落検知装置２は、レールの高さ以上の高さを持つ対象物を落下物として検知し、且つレール未満の高さの対象物を落下物として検知することを防ぐことができる。この結果、転落検知装置２は、落下事象検知の誤報を低減することができる。
【００５７】
また、第２の閾値の上限閾値がホーム上面の高さに設定されている為、転落検知装置２は、ホームからの乗降客の乗り出しを落下物であると検知することを防ぐことができる。
【００５８】
また、第３のエリアでは、レールが存在するため、第２のエリアに比べて上限閾値が高く設定されている。即ち、転落検知装置２は、人物がレール上に立っていた場合に人物が検出される可能性が高い下限閾値及び上限閾値を第３の閾値として設定する。
【００５９】
図１０の例では、下限閾値が基準平面の高さ、即ちレール上面の高さに設定され、且つ上限閾値が第２の閾値の上限閾値よりレールの高さだけ高い高さに設定されている。これにより、転落検知装置２は、レールの上に人物が立っている場合であっても、落下事象を検知することができる。
【００６０】
また、第４のエリアでは、盛られた砂利が存在するため、第２のエリアに比べて上限閾値が高く設定されている。即ち、転落検知装置２は、人物が砂利の上に立っていた場合に人物が検出される可能性が高い下限閾値及び上限閾値を第４の閾値として設定する。
【００６１】
図１０の例では、上限閾値が第２の閾値の上限閾値より砂利の分だけ高い高さに設定されている。さらに、下限閾値が、第２の閾値の下限閾値より砂利の分だけ高い高さに設定されている。即ち、転落検知装置２は、基準平面より高い位置に存在する砂利を落下物と検知しない為に、盛られた砂利より高い位置に第４の閾値の下限閾値を設定する。これにより、転落検知装置２は、砂利の上に人物が立っている場合であっても、落下事象を検知することができる。さらに、転落検知装置２は、砂利を落下物として検知することを防ぐことができる。
【００６２】
また、第１のエリアに第１の閾値が設定されていても良い。例えば、転落検知装置２は、ホーム上の線路軌道から近い範囲に第１の閾値を設定することにより、ホーム上の線路軌道に近い範囲に存在する対象物を検出することができる。
【００６３】
上記のように領域毎に設定された閾値と、対象物の高さと、対象物の位置と、に基づいて、転落検知装置２は、落下事象を適切に検知することができる。この結果、より高い精度で転落事象を検知する駅ホーム転落検知装置を提供することができる。
【００６４】
以上、本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６５】
１１、１２…カメラ、２…転落検知装置、２１…画像入力部、２２…投影画像生成部、２３…対応点計算部、２４…物体平面位置計算部、２５…対象物検出部、２５１…サイズ変換推定部、２５２…監視エリア情報記憶部、２５３…対象物候補属性計算部、２５４…対象物属性判定部、２５５…判別情報記憶部、２５６…対象物運動推定部、２５７…テンプレート記憶部、２５８…総合判定部、２５９…閾値メモリ。
【図１】
2014234085.tif 000009
【図２】
2014234085.tif 000010
【図３】
2014234085.tif 000011
【図４】
2014234085.tif 000012
【図５】
2014234085.tif 000013
【図６】
2014234085.tif 000014
【図７】
2014234085.tif 000015
【図８】
2014234085.tif 000016
【図９】
2014234085.tif 000017
【図１０】
2014234085.tif 000018